(57)【特許請求の範囲】
【請求項１】
住戸の玄関先に設置されたドアホン子器と、住戸内に設置され、前記ドアホン子器が接続されたインターホン親機と、共同玄関に設置されたロビーインターホンと、管理室等に設置された警報監視盤とを少なくとも組み合わせて構成したインターホンシステムにおいて、
上記住戸の玄関先には、来客者から提示された個別情報を読み取り、読み取った個別情報を上記インターホン親機へ送信する個別情報読取装置を備えて構成され、
上記インターホン親機は、個別情報読取装置から個別情報を受信したときには、来客者の個別情報に予め対応させて出力すべき来客通知メッセージを登録した来客通知メッセージテーブルを参照して、対応した来客通知メッセージを出力する来客者メッセージ通知手段を備え、
上記警報監視盤は、上記インターホン親機の上記来客通知メッセージテーブルに、来客者の個別情報を書き込み、消去できる来客メッセージ登録設定手段を備えていることを特徴とするインターホンシステム。
【請求項２】
請求項１において、
上記個別情報読取手段は、来客者の個別情報として、記録媒体に記憶された特定の情報を読み取るものであることを特徴とするインターホンシステム。
【請求項３】
請求項１において、
上記個別情報読取手段は、来客者の個別情報として、来客者の生体情報を読み取り、上記インターホン親機の上記来客通知メッセージテーブルは、予め来客者の生体情報を登録していることを特徴とするインターホンシステム。
【請求項４】
請求項１乃至３において、
共同玄関に設置されたロビーインターホンを更に備え、
上記インターホン親機は、上記ロビーインターホンから呼び出しされた後、または上記ロビーインターホンから呼び出されて所定の操作がされた後、所定時間の間だけ上記ドアホン子器からの呼び出しを可能とする機能を備えていることを特徴とするインターホンシステム。
【発明の詳細な説明】
【技術分野】
【０００１】
本発明は、住戸の玄関先に設置されたドアホン子器と、住戸内に設置され、ドアホン子器が接続されたインターホン親機とを、少なくとも組み合わせて構成したインターホンシステムの改良に関する。
【背景技術】
【０００２】
従来より、マンションや社宅等の集合住宅においては、上記のようなインターホンシステムに共同玄関に設置されたロビーインターホンを更に備えたインターホンシステムが採用されている。
これによれば、集合住宅に住む住人を訪ねてきた訪問者や荷物を届けに来た宅配業者等の来客者は、まず共同玄関等に設置されたロビーインターホンから訪問したい住戸を呼び出し、この呼び出しを受けた住人は、ロビーインターホンに内蔵されたカメラからのモニター画像をインターホン親機のモニターで確認し、会話をしてから、共同玄関の施錠を解き、その後、各住戸の玄関に来客者が来て、玄関先に設置されたドアホン子器からの呼び出しに応じて、住人が玄関扉を開けるようになっている。また、警報監視盤を更に備えたインターホンシステムでは、管理室等に設置された警報監視盤と、インターホン親機やロビーインターホンとが相互通話できるよう構成されている。
【０００３】
下記特許文献１には、同様のインターホンシステムが開示されており、ここでは、インターホン親機の呼出音を鳴らさないように設定している場合でも、インターホン親機と警報監視盤との間の緊急通話が可能なものが記載されている。
【特許文献１】特開２００４−８８４１３号公報
【発明の開示】
【発明が解決しようとする課題】
【０００４】
ところで、このような従来のインターホンシステムでは、各住戸の玄関先に設置されたドアホン子器からの呼び出しに対しては、ロビーインターホンやドアホン子器からのモニター画像を確認しなかったり、ロビーインターホンで応対していない来客者に関しては、会話をするだけになるので、玄関先に来た来客者が不明なまま応対することになる。また、モニター画像を確認した場合においても、顔見知りでない場合は、その人の身元が信用できるかどうかの判断ができないまま、応答して玄関扉を開くことになるため、セキュリティ上、不安な要素が多々あった。
近年、インターホンシステムにおいても、防犯上の観点から様々なセキュリティ対策がなされているが、宅配業者や集合住宅の住人等になりすまして集合住宅内に侵入し、住人が玄関扉を開けた瞬間に押し入ったりという事件が相次いでおり問題となっている。
【０００５】
本発明は、このような事情を考慮して提案されるものであって、予め来客者を登録しておけば、モニター画像を確認しなくても、その来客者からの呼出を容易に把握できるインターホンシステムを提供することを目的とする。
【課題を解決するための手段】
【０００６】
上記課題を解決するために、請求項１に係る発明は、住戸の玄関先に設置されたドアホン子器と、住戸内に設置され、前記ドアホン子器が接続されたインターホン親機と、共同玄関に設置されたロビーインターホンと、管理室等に設置された警報監視盤とを少なくとも組み合わせて構成したインターホンシステムにおいて、上記住戸の玄関先には、来客者から提示された個別情報を読み取り、読み取った個別情報を上記インターホン親機へ送信する個別情報読取装置を備えて構成され、上記インターホン親機は、個別情報読取装置から個別情報を受信したときには、来客者の個別情報に予め対応させて出力すべき来客通知メッセージを登録した来客通知メッセージテーブルを参照して、対応した来客通知メッセージを出力する来客者メッセージ通知手段を備え、上記警報監視盤は、上記インターホン親機の上記来客通知メッセージテーブルに、来客者の個別情報を書き込み、消去できる来客メッセージ登録設定手段を備えていることを特徴とする。
なお来客通知メッセージは、音声出力に限られず、表示部へのメッセージ表示、可変させた鳴動パターン等としてもよい。またここで個別情報とは、集合住宅の住人であることや宅配業者であること等、ドアホン子器の個別情報読取手段によって読み取った情報をいう。
【０００７】
請求項２に係る発明は、請求項１において、上記個別情報読取手段は、来客者の個別情報として、記録媒体に記憶された特定の情報を読み取るものであることを特徴とする。記録媒体としては、電子式、非電子式を問わず、磁気カード、ＩＣカード等を用いることができる。
【０００８】
請求項３に係る発明は、請求項１において、上記個別情報読取手段は、来客者の個別情報として、来客者の生体情報を読み取り、上記インターホン親機の上記来客通知メッセージテーブルは、予め来客者の生体情報を登録していることを特徴とする。
ここで生体情報とは、人間の体の一部より得る情報をいい、具体的には指紋や虹彩、或いは指や掌の静脈パターン等を読み取って得られる情報をいう。
【００１０】
請求項４に係る発明は、請求項１乃至３のいずれかにおいて、共同玄関に設置されたロビーインターホンを更に備え、上記インターホン親機は、上記ロビーインターホンから呼び出しされた後、または上記ロビーインターホンから呼び出されて所定の操作がされた後、所定時間の間だけ上記ドアホン子器からの呼び出しを可能とする機能を備えていることを特徴とする。
【発明の効果】
【００１１】
請求項１の発明によれば、住戸の玄関先には、来客者から提示された個別情報を読み取り、読み取った個別情報をインターホン親機へ送信する個別情報読取装置を備え、インターホン親機は、個別情報読取装置から個別情報を受信したときには、来客者の個別情報に予め対応させて出力すべき来客通知メッセージを登録した来客通知メッセージテーブルを参照して、対応した来客通知メッセージを出力する来客者メッセージ通知手段を備えているので、予め来客者の個別情報を来客通知メッセージに対応させて登録しておけば、玄関先で来客者から提示された個別情報が読み取られると、住戸内のインターホン親機では、来客者に対応した来客通知メッセージが出力され、モニター画像を確認しなくても、通知されるメッセージ内容から来客者を把握することができる。
よって、住人は来客者を把握できた状態で玄関扉を開けることになるので、不審者の侵入を防ぐことができ、セキュリティ対策のなされたインターホンシステムとすることができる。
また警報監視盤は、インターホン親機の来客通知メッセージテーブルに来客通知メッセージを書き込み、消去できる来客メッセージ登録設定手段を備えているので、集合住宅を管理する管理室等で、各住戸や出入りする宅配業者等に応じた内容に一括して書き換え更新することができる。よって、集合住宅の住人が引越しする等して変更があったような場合でも、警報監視盤から該当する住戸に設けられたインターホン親機に対して、メッセージ内容を書換え更新することができる。
【００１２】
請求項２の発明によれば、個別情報読取手段は、記録媒体に記憶された特定の情報を読み取るものであるので、記憶媒体は携帯しやすく、利用する者にとって使い勝手がよい。
【００１３】
請求項３の発明によれば、個別情報読取手段は、来客者の生体情報を読み取るものであるので、他人のなりすましが難しく、紛失や盗難の恐れがないため、インターホン親機により通知される情報がより信頼性の高いものとすることができる。
【００１５】
請求項４の発明によれば、インターホン親機は、ロビーインターホンから呼び出しされた後、またはロビーインターホンから呼び出されて所定の操作がされた後、所定時間の間だけドアホン子器からの呼び出しを可能とする機能を備えているので、ロビーインターホンから呼び出しをした来客者、特に個別情報を持たない人に対して応答することができる。
【発明を実施するための最良の形態】
【００１６】
以下に、本発明の実施の形態について説明する。図１は本発明のインターホンシステムの概略構成の一例を示す図、図２は本発明のインターホンシステムで用いられるインターホン親機とドアホン子器の基本構成の一例を示す図、図３は警報監視盤の基本構成の一例を示す図、図４はロビーインターホンの基本構成の一例を示す図、図５は来客通知メッセージテーブルの一例を示す図、図６は、本発明のインターホンシステムの基本動作について説明するためのフローチャートである。
【実施例１】
【００１７】
図１は、本発明のインターホンシステムＳの概略構成の一例を示している。このインターホンシステムＳは、各住戸の玄関先に設置されたドアホン子器２が接続されたインターホン親機１とを少なくとも組み合わせて構成されており、この実施例では、更に管理室等に設置された警報監視盤５と、共同玄関等に設置されたロビーインターホン６とを備えたものを示している。集合住宅の適所には分岐器３及び映像制御盤４が設置されており、Ｌ１、Ｌ２、Ｌ３は、制御線、通話線、映像線で構成された伝送ラインであり、Ｌ４は制御線、通話線で構成された伝送ライン、Ｌ５は映像線で構成された伝送ライン、Ｌ６は少なくとも個別情報読取装置で読み取った個別情報をインターホン親機１へ送信する通信線で構成された伝送ラインであるが、これらの伝送ラインＬ１〜Ｌ４は、上記各線を束ねて構成されるものの他、多重伝送で構成されるものとしてもよい。
【００１８】
インターホンシステムＳは、マンションや社宅等の集合住宅用として用いられる他、オフィスビルにも適用可能であるが、本実施例ではマンションに用いられる場合について説明する。またインターホンシステムの構成は、図に示すものに限定されず、例えばインターホン親機１をガス漏れ報知機能等を備えた住宅情報盤としてもよく、またインターホン親機１に副親機（不図示）を備えたものやドアホン子器２とインターホン親機１とはカメラ部、モニタ部を備えていないものも適用可能である。更にドアホン子器２とインターホン親機１とはハンズフリー通話できる構成としてもよい。
【００１９】
各住戸内に設置されたインターホン親機１は、分岐器３を介して、伝送ラインＬ２、Ｌ１を通じて映像制御盤４と接続されており、映像制御盤４は伝送ラインＬ５を通じてロビーインターホン６に接続されるとともに、伝送ラインＬ４を通じて警報監視盤５に接続され、インターホン親機１は、ロビーインターホン６及び警報監視盤５と、相互に通話可能としている。またインターホン親機１は、ドアホン子器２と、制御線、通話線、映像線で構成された伝送ラインＬ３で接続され、相互に通話可能としている。
そして各住戸の玄関先には、上記ドアホン子器２が設置されるとともに、個別情報読取手段Ｒａを備えた個別情報読取装置Ｒが設けられ、インターホン親機１と接続されている。
【００２０】
図２は本発明のインターホンシステムＳで用いられるインターホン親機１とドアホン子器２の基本構成の一例を示す図である。
インターホン親機１は、少なくとも制御部１０、各制御線、通話線、映像線で構成された伝送ラインＬ１を通じて各種信号を伝送するための伝送送受信部１９、ドアホン子器２やロビーインターホン６からの映像を映し出し、液晶表示器等で構成されたモニタ部１４、伝送ラインＬ１、Ｌ３を通じて入力された映像信号を制御し、モニタ部１４に映像信号を出力して表示させる映像処理部１５、伝送ラインＬ１、Ｌ３を通じてドアホン子器２やロビーインターホン６、警報監視盤５との相互通話ができるよう制御をする通話処理部１２、各種操作キー等で構成された操作スイッチ部１７、ＳＷ入力部１６、各種プログラム等が記憶された記憶部１８、制御部１０からの信号に応じて来客通知メッセージを生成し報知したり、ロビーインターホン６やドアホン子器２からの呼出等を報知するための報知音を生成し出力する報知音生成制御部１１を備えている。通話処理部１２には音声を入出力するマイクロホンＭ及びスピーカＳＰが接続されており、報知音生成制御部１１には、スピーカＳＰが接続されている。そして、インターホン親機１は、インターフェース部１３を介してドアホン子器２及び個別情報読取装置Ｒと伝送ラインＬ３、Ｌ６で接続されている。
【００２１】
制御部１０は、個別情報読取装置Ｒから送信されてくる個別情報を判別し、制御する個別情報認識手段１０ａを備えており、記憶部１８は、来客者の個別情報に予め対応させて来客通知メッセージを登録した来客通知メッセージテーブル１８ａが設けられている。また報知音生成制御部１１には、来客通知メッセージをスピーカＳＰから報知する来客メッセージ通知手段１１ａを備えている。
尚、来客通知メッセージテーブル１８ａは、上記のようにインターホン親機１に備える構成に限らず、例えばインターホン親機１と接続される警報監視盤５の記憶部５３或いはサーバ等の他の機器に記憶させ、来客者の個別情報を受信する毎に来客通知メッセージテーブル１８ａを参照する構成としてもよい。
【００２２】
ドアホン子器２は、少なくとも制御部２０、伝送ラインＬ３を通じて各種信号の伝送をするためのインターフェース部２６、伝送ラインＬ３を通じてインターホン親機１との相互通話ができるよう制御をする通話処理部２５、ドアホン子器２周辺を撮影するカメラ部２４、カメラ部２４で撮影した映像を処理する映像処理部２３、インターホン親機１を呼出する呼出スイッチ部２２、ＳＷ入力部２１、通話処理部２５には、マイクロホンＭ及びスピーカＳＰが接続されている。
【００２３】
個別情報読取装置Ｒは、個別情報読取手段Ｒａと個別情報送信手段Ｒｂとを少なくとも備えており、例えばカードから個人情報を読み取る場合はカードリーダ、生体情報を読み取る場合は、指紋リーダや静脈の画像読取手段、虹彩カメラ等を用いることができる。そして、個別情報読取装置Ｒで読み取られた来客者の個別情報は、個別情報送信手段Ｒｂによって伝送ライン６を通じてインターホン親機１へ送信される。
尚、個別情報読取装置Ｒは、上記のようにインターホン親機１へ直接個人情報を送信する構成としてもよいが、これに限定されず、ドアホン子器２に内蔵する構成、即ち、ドアホン子器２の制御部に個別情報送信手段を設け、個別情報読取装置Ｒで読み取った個別情報をインターホン親機１へ送信する構成としてもよい。
【００２４】
図３は警報監視盤５の基本構成の一例を示す図であり、警報監視盤５は、少なくとも以下の構成要素を制御する制御部５０と、インターホン親機１の住戸番号を入力したり、来客通知メッセージを登録するためのキー等を有する操作部５１、伝送ラインＬ４を通じて各種信号を伝送するための伝送送受信部５２、記憶部５３、インターホン親機１における異常発生を報知するための警報音や警報メッセージを生成してスピーカ（不図示）から送出する警報音生成部５４、操作部５１で指定された住戸番号等を表示する表示部５５、通話部５６を備えており、制御部５０には、インターホン親機１側の来客通知メッセージテーブル１８ａに、来客の個別情報を書き込み、消去できる来客メッセージ登録設定手段５０ａを備えている。
【００２５】
図４はロビーインターホン６の基本構成の一例を示す図であり、このロビーインターホン６は、少なくとも制御部６０、伝送ラインＬ３、Ｌ４を通じて各種信号の伝送をするための伝送送受信部６５、住戸番号を指定するための番号キーや呼出釦を有する操作スイッチ部６２、ＳＷ入力部６１、来客者を撮影するカメラ部６９と、カメラ部６９での撮影によって形成された映像信号を制御する映像処理部６３と、呼出先のインターホン親機１若しくは警報監視盤５との間でマイクＭとスピーカＳＰを使用したハンズフリー通話をするための通話処理部６６、操作スイッチ部６２の操作を報知するための報知音等をスピーカＳＰへ出力する報知音生成部６８、記憶部６４、操作スイッチ部６２で指定された住戸番号等を表示する表示部６７、録音回路（不図示）を備えている。
このロビーインターホン６は、来客者やマンションの住人は、操作スイッチ部６２を操作すると、住戸番号に対応したインターホン親機１を選択したことになり、ロビーインターホン６と伝送ラインＬ４で接続された警報監視盤５へ選択された住戸番号が送信され、警報監視盤５から住戸番号に対応する住戸のインターホン親機１に対して、呼出元のロビーインターホン６に割り当てられている固有アドレスが付加された制御信号（呼出コマンド）が送信される構成としている。
【００２６】
本発明に係るインターホンシステムＳにおいて、住戸の玄関先に設けられた個別情報読取装置Ｒは、来客者から提示された個別情報を読み取り可能な個別情報読取手段Ｒａと、読み取った個別情報をインターホン親機１へ送信する個別情報送信手段Ｒｂとを備えており、個別情報読取装置Ｒで読み取った個別情報はインターホン親機１へ送信され、個別情報読取装置Ｒから個別情報を受信したインターホン親機１は、来客者の個別情報に予め対応させて出力するべき来客通知メッセージを登録した来客通知メッセージテーブル１８ａを参照して、対応した来客通知メッセージを出力する来客者メッセージ通知手段１１ａを備えており、玄関先の来客者が個別情報読取装置Ｒによって読み取りを行うと、住戸内のインターホン親機１では、来客者に対応した来客通知メッセージが出力される。よって、モニター画像を確認しなくても、通知されるメッセージ内容から来客者を把握することができる。
ここで個別情報送信手段Ｒｂは、読み取った個別情報を所定の信号に変換をしてから、インターホン親機１に送信するが、このとき、個別情報を暗号化して送るようにすれば、一層情報セキュリティ対策のなされたインターホンシステムＳとすることができる。
【００２７】
図５は、来客通知メッセージテーブル１８ａの一例を示した図である。図中、Ｔはテーブルである。
この図例では、個別情報読取装置Ｒで読み取られた個別情報は、まず個別情報送信手段Ｒｂによって所定の信号に変換され、これを受け取ったインターホン親機１側で識別番号（Ａ、Ｂ、Ｃ・・・）に変換される。よって、来客通知メッセージテーブル１８ａのテーブルＴには、該識別番号に対応して、種々メッセージが登録されている。
例えば、識別番号「Ａ」に対しては、「登録されている方が来られました」、識別番号「Ｃ」に対しては「太郎君が帰ってきました」等のメッセージを割り当てて登録する。
また、テーブルＴに登録されている識別番号を参照した結果、該当する識別番号が登録されていないと判別した際に通知される識別番号「Ｚ」「登録されていない方が来られました」というメッセージも登録される。
尚、来客通知メッセージの例は図のものに限定されないことは言うまでもなく、例えば出入している宅配業者の会社名やマンションの住人の氏名等を含むものとしてもよいし、最も簡単な態様として、登録されている来客者と、未登録の来客者のみを識別するものとしてもよい。
【００２８】
このようにテーブルＴには、マンションの住人であることの他、その住人の部屋番号等を登録できる構成になっているので、回覧板を回したり、自治会の会費等を集金に訪ねて来られる場合において、マンションの住人と面識がなくても、スムーズに対応することができる。
【００２９】
またテーブルＴの書換えは警報監視盤５によってなされる構成としている。従って、警報監視盤５は、インターホン親機１の来客通知メッセージテーブル１８ａに来客通知メッセージを書き込み、消去できる来客メッセージ登録設定手段５０ａを備えており、各住戸や出入りする宅配業者等に応じた内容に書き換え更新することができる。
これによれば、例えばマンションの住人が引越しする等して変更があったときでも、すぐに管理人側で該当する住戸に設けられたインターホン親機１に対して、メッセージ内容を書換え更新することができる。このとき、登録する来客通知メッセージは、来客者の種別（マンションの住人、住人、宅配業者等）に分けて、定型メッセージを選択して登録できる構成としてもよい。
また警報監視盤５では、インターホン親機１の来客通知メッセージテーブル１８ａに来客者の個別情報のみを書き込み、それに対応させた来客通知メッセージは、インターホン親機１側で登録可能な構成としてもよい。
この場合、インターホン親機１側で好みの来客通知メッセージを割り当てて登録することができる。
【００３０】
ここで個別情報読取手段Ｒａは、来客者の個別情報として、来客者が提示する記録媒体に記憶された特定の情報を読み取るものであり、記録媒体としては、電子式、非電子式を問わず、プラスチックや紙製のカードにテープ状の磁気記録媒体を貼り付けた磁気カード、カード内にＩＣチップが内蔵されたＩＣカード等を用いることができる。また、カードリーダは非接触型或いは、接触型を用いることができる。電波を利用し読み取り可能とした非接触型のカードリーダとすれば、ＩＣカードをカードリーダに近接するだけで個別情報を読み取ることができるので、機械的な磨耗部分がなく、カードリーダとＩＣカードの寿命が長くでき、また利用者にとっては使い勝手がよい。
このような記録媒体は、マンションの管理組合等が発行管理し、来客者に持参させる等する方式とすれば、セキュリティ性を高めることができる。また記憶媒体は携帯しやすく、利用する者にとって使い勝手がよいというメリットもある。
【００３１】
すなわち、本発明のインターホンシステムを導入したマンションでは、そこの住人が記録媒体を持って同じマンションの住人を訪問する場合は、インターホン親機１側でモニタ部１４により来客者を確認しなくても、同じマンションの住人であることを把握することができることになる。
また、マンションに出入する宅配業者に対しては、管理人等に登録を申し出るシステムにしておけば、マンションの住人に荷物を届ける際に、所定の記録媒体を提示してもらうことにより、マンションの住人側は、安心して荷物の受け取りができることになる。
【００３２】
また個別情報読取手段Ｒａは、来客者の個別情報として、来客者の生体情報を読み取るものとしてもよい。
この場合、具体的には指紋や掌の静脈パターン、網膜等のバイオメトリクスを用いて読み取ることが挙げられる。
例えば、指紋によって個別情報を読み取る場合は、ドアホン子器２の呼出スイッチ部２２を指紋読取可能なリーダ部Ｒとすれば、来客者は、ドアホン子器２の呼出スイッチ部２２を指で押下げすれば、生体情報が読み取られるので、操作を簡単にすることができる。また生体情報を読み取るものの場合は、他人のなりすましが難しく、紛失や盗難の恐れがないため、インターホン親機１により通知される情報がより信頼性の高いものとすることができる。
【００３３】
またインターホン親機１は、ロビーインターホン６から呼び出しされた後、またはロビーインターホン６から呼び出されて所定の操作がされた後、所定時間の間だけドアホン子器２からの呼び出しを可能とする機能を備えている。
これによれば、ロビーインターホンから呼び出しをした来客者、特に個別情報を持たない人に対して、応答することができ、またロビーインターホンから呼び出しをした来客者は、所定時間内に玄関先まで到達しないとドアホン子器２から呼び出しができない構成となっているので、ロビーインターホン６を介さず、突然訪問してくる訪問販売等、住人が歓迎しない来客からの呼び出しを防止することができる。一方、ロビーインターホン６を介さずに訪問可能な同じ集合住宅の住人や登録されている宅配業者であれば、所定の記録媒体等を持参して訪問することになり、玄関先に設置された個別情報読取装置Ｒから呼び出し可能であるので、普段の生活に支障をきたすことがない。
【００３４】
次にこのような構成の本発明インターホンシステムＳの基本動作について、図６のフローチャート（１００〜１０８）ともに説明する。
住戸の玄関先まで来た来客者が提示した個別情報を個別情報読取装置Ｒが読取ると（１００）、個別情報を所定の信号に変換し、インターホン親機１へ送信する（１０１）。
個別情報読取装置Ｒから個別情報を受信したインターホン親機１は（１０２）、個別情報を判別し（１０３）、所定の識別番号に変換する等して、来客通知メッセージテーブル１８ａを参照する（１０４）。
このとき、まず所定のテーブルＴ中に該当する識別番号が登録されているかの参照を行う。該当する識別番号があった場合は、その識別番号に対応した来客通知メッセージが登録されているため、その登録されているメッセージを出力する（１０６）。
【００３５】
一方、所定のテーブルＴ中に該当する識別番号が登録されていないかった場合は、非登録の識別番号に対応する来客通知メッセージ（図５の例によれば、「登録されていない方が来られました」）を出力する（１０７）。
尚、基本動作やソフトプログラムの構成はこれに限定されず、ここでの通知は音声出力に限られず、インターホン親機１の表示部（不図示）にメッセージを表示するものや可変させた鳴動パターンを出力するものとしてもよい。
また来客通知メッセージが流れる前に、インターホン親機１でドアホン子器２の鳴動音と同じ「ピンポーン」等というチャイム音を流せば、住人は来客者があったことに気付き、次に流れる来客通知メッセージに注意を向けることができる。
【００３６】
この図では、個別情報のインターホン親機１への送信はドアホン子器２の呼出操作を行うことなく、独立して実行されているが、個別情報読取装置Ｒで個別情報を読み取らせてから、ドアホン子器２の呼出操作を行ったり、ドアホン子器２の呼出操作を行ってから、個別情報読取装置Ｒで個別情報を読み取らせたときに、実行させるようにしてもよい。
また、個別情報読取装置Ｒがドアホン子器２に内蔵されている場合は、呼出スイッチ部２２が操作された後に、個別情報の読取を促すメッセージやドアホン子器２に表示部（不図示）を設け表示させる構成としてもよい。
【図面の簡単な説明】
【００３７】
【図１】本発明のインターホンシステムの概略構成の一例を示す図である。
【図２】本発明のインターホンシステムで用いられるインターホン親機とドアホン子器の基本構成の一例を示す図である。
【図３】本発明の警報監視盤の基本構成の一例を示す図である。
【図４】本発明のロビーインターホンの基本構成の一例を示す図である。
【図５】来客通知メッセージテーブルの一例を示す図である。
【図６】本発明のインターホンシステムの基本動作について説明するためのフローチャートである。
【符号の説明】
【００３８】
Ｓ      インターホンシステム
１      インターホン親機
１０ａ      個別情報認識手段
１１ａ      来客メッセージ通知手段
１８ａ      来客通知メッセージテーブル
２      ドアホン子器
Ｒ      個別情報読取装置
Ｒａ      個別情報読取手段
Ｒｂ      個別情報送信手段
５      警報監視盤
５０ａ      来客メッセージ登録設定手段
６      ロビーインターホン  
【図１】
0004736924.tif 000002
【図２】
0004736924.tif 000003
【図３】
0004736924.tif 000004
【図４】
0004736924.tif 000005
【図５】
0004736924.tif 000006
【図６】
0004736924.tif 000007